(57)【特許請求の範囲】
【請求項１】
上下に水平に配置される天井パネルおよび床パネルと、これら天井パネルおよび床パネルの両側に垂直に対向配置される一対の妻パネルとを備え、
前記対向配置される一対の妻パネルのうち、少なくともいずれか一方の妻パネルが他方の妻パネルよりも幅寸法が小さくされ、前記一方の妻パネルの天井梁の長さ寸法が前記他方の妻パネルの天井梁の長さ寸法と同じである側面Ｌ字形状に形成され、平面Ｌ字形状に形成されている建物ユニットを製造するに際し、
標準の高さ寸法および幅寸法を有する標準建物ユニットの総組時に使用される生産設備を利用し、
前記一方の妻パネルの天井梁の一端と、前記一方の妻パネルの下端とを連結する側面Ｌ字状の組立治具を装着して、当該一方の妻パネルを前記他方の妻パネルと同形状にする組立治具装着工程と、
前記組立治具装着工程の後、前記生産設備を利用して前記建物ユニットの総組作業を行う総組工程とを備えている
ことを特徴とする建物ユニットの製造方法。
【請求項２】
請求項１に記載の建物ユニットの製造方法において、
前記総組作業後、前記組立治具を、前記一方の妻パネルから取り外す組立治具取り外し工程を備えている
ことを特徴とする建物ユニットの製造方法。
【請求項３】
請求項２に記載の建物ユニットの製造方法において、
前記組立治具を、前記一方の妻パネルから取り外した後、前記建物ユニットに、当該建物ユニットを建築現場に輸送するための輸送治具を取り付ける輸送治具取付工程を備えている
ことを特徴とする建物ユニットの製造方法。
【請求項４】
請求項１〜請求項３のいずれかに記載の建物ユニットの製造方法において、
前記床パネルは、平面Ｌ字形状に形成されており、
前記組立治具装着工程の後、前記床パネルに、当該床パネルを前記天井パネルと同形状にするとともに、前記組立治具に向かって延びる接続用組立治具を設ける接続用組立治具装着工程を備え、
前記総組工程は、各々の支持台で、前記対向配置される一対の妻パネルの四隅部分を支持して、当該妻パネルを垂直に配置する第１パネル配置手順と、
これら一対の妻パネルを水平方向に対向させて当該一対の妻パネル間に前記天井パネルおよび床パネルを配置する第２パネル配置手順と、
前記支持台のうち、少なくとも一方を前進させて接続状態とし、前記妻パネルの上下端部に前記天井パネルおよび床パネルの端部を接合するとともに、前記組立治具に前記接続用組立治具を接合する組立治具接合手順とを備えている
ことを特徴とする建物ユニットの製造方法。
【請求項５】
請求項４に記載の建物ユニットの製造方法において、
前記建物ユニットは、前記床パネルと天井パネルとを相互に連結する間柱を備え、
前記第２パネル配置手順の後、前記床パネル上に前記間柱を立設し、当該間柱上端に前記天井パネルを載置する上下連結手順を備えている
ことを特徴とする建物ユニットの製造方法。
【発明の詳細な説明】
【０００１】
【発明の属する技術分野】
本発明は、上下に水平に配置される天井パネルおよび床パネルと、これら天井パネルおよび床パネルの両側に垂直に対向配置される一対の妻パネルとを備え、標準の高さ寸法および幅寸法を有する標準建物ユニットの総組時に使用される生産設備を利用し、前記対向配置される一対の妻パネルのうち、少なくともいずれか一方の妻パネルが他方の妻パネルよりも幅寸法が小さくされ、平面Ｌ字形状に形成されている建物ユニットの製造方法に関するものである。
【０００２】
【背景技術】
従来より、ユニット式建物は、予め工場で生産された複数の建物ユニットを建築現場で組み合わせるユニット工法により建てられる。それぞれの建物ユニットは、上下に水平に配置される天井パネルおよび床パネルと、これら天井パネルおよび床パネルの両側に垂直に対向配置される一対の妻パネルとを備え、高さ寸法が標準の高さを有する直方体状に形成されている。これら天井パネル、床パネル、妻パネルを接合する建物ユニットの製造作業は、工場で行われる。
【０００３】
この標準の高さ寸法を有する標準建物ユニットの製造作業は、図５に示されるように、予め妻パネル１０１、床パネル１０２、天井パネル１０３等のユニットの構成部材を別個に製作しておき、総組作業を行う生産設備である、いわゆる総組装置１０７の支持台１０６上に妻パネル１０１を水平方向に対向させ、これらの妻パネル１０１間に床パネル１０２と天井パネル１０３とを配置し、妻パネル１０１を支持する支持台１０６を前進させて接続状態とし、これらを溶接等で接合する方法によって行われている（特開平４ー２０１０２５号公報等参照）。
ここで、支持台１０６は、妻パネル１０１の四つの角隅部を支持するようになっている。
【０００４】
一方、ユーザの要望等により、ユニット式建物も多様化しており、例えば、インナーバルコニや、内側に凹んだ玄関ポーチ等を形成する場合などに、一対の妻パネルのうち、いずれか一方の妻パネルが他方の妻パネルよりも幅寸法が小さくされて平面Ｌ字形状に形成されている建物ユニットが使用されることがあり、これらを組み合わせたユニット式建物も建てられている。従って、このような建物ユニットを製造する場合にも、床パネルと、妻パネルと、天井パネルとを別個に製造しておき、これらを総組装置を利用して接合することが考えられる。
【０００５】
【発明が解決しようとする課題】
しかしながら、一方の妻パネルが他方の妻パネルよりも幅寸法が小さく、平面Ｌ字形状に形成された建物ユニットの場合、当該一方の妻パネルは、標準建物ユニットの妻パネルよりも幅寸法が小さいので、標準建物ユニット用の総組装置ではこの妻パネルを支持することができない。このため、平面Ｌ字形状の建物ユニットの製造に総組装置を利用することができず、妻パネルをつり下げながら接合作業を行わなければならないので、接合作業に多くの手間と時間がかかるという問題がある。
【０００６】
本発明の目的は、既存の生産設備の有効利用を図ることが可能となり、生産性を向上させることが可能な建物ユニットの製造方法を提供することにある。
【０００７】
【課題を解決するための手段】
本発明は、図面を参照して説明すると、上下に水平に配置される天井パネル２および床パネル３と、これら天井パネル２および床パネル３の両側に垂直に対向配置される一対の妻パネル４、５とを備え、前記対向配置される一対の妻パネル４、５のうち、少なくともいずれか一方の妻パネル５が他方の妻パネル４よりも幅寸法が小さくされ、前記一方の妻パネル５の天井梁５３の長さ寸法が前記他方の妻パネル４の天井梁４２の長さ寸法と同じである側面Ｌ字形状に形成され、平面Ｌ字形状に形成されている建物ユニット１を製造するに際し、標準の高さ寸法および幅寸法を有する標準建物ユニットの総組時に使用される生産設備（例えば、総組装置１０７）を利用し、前記一方の妻パネル５の天井梁５３の一端と、前記一方の妻パネル５の下端とを連結する側面Ｌ字状の組立治具７１を装着して、当該一方の妻パネル５を前記他方の妻パネル４と同形状にするための組立治具装着工程と、前記組立治具装着工程の後、前記生産設備を利用して前記建物ユニット１の総組作業を行う総組工程とを備えていることを特徴とする。このような本発明によれば、一方の妻パネルに、組立治具を装着することで、当該一方の妻パネルを、標準建物ユニットの妻パネルと略同形状にすることが可能となるので、標準建物ユニットの総組時に使用される生産設備を利用することが可能となる。これにより、既存の生産設備の有効利用を図ることが可能となり、平面Ｌ字形状の建物ユニットの生産性を向上させることが可能となる。
【０００８】
以上において、前述の総組作業後、組立治具７１を、一方の妻パネル５から取り外す組立治具取り外し工程を備えていることが好ましい。
このようにすれば、組立治具を再利用することが可能となるので、一方の妻パネルの製造個数と同じ数だけ組立治具を製造する場合に比べて、当該組立治具の製造コストを低減することが可能となる。
【０００９】
また、前述の組立治具７１を、一方の妻パネル５から取り外した後、建物ユニット１に、当該建物ユニット１を建築現場に輸送するための輸送治具７３を取り付ける輸送治具取付工程を備えていることが望ましい。
このように、輸送時に輸送治具を用いれば、建物ユニットの輸送車への積み込みや、建築現場で積み卸し等をする際に、当該建物ユニットの底面等を直接設置部分に接触させることがなく、当該底面等を保護することが可能となる。そして、輸送治具を取り付けた状態で建築現場に輸送・設置を行えば、建物ユニットの底面等の保護を行いながらの設置作業を容易に行うことが可能となる。
【００１０】
さらに、前述の床パネル３は、平面Ｌ字形状に形成されており、組立治具装着工程の後、床パネル３に、当該床パネル３を天井パネル２と同形状にするとともに、組立治具７１に向かって延びる接続用組立治具７２を設ける接続用組立治具装着工程を備え、総組工程は、各々の支持台１０６で、対向する一対の妻パネル４、５の四隅部分を支持して、当該妻パネル４、５を垂直に配置する第１パネル配置手順と、これら一対の妻パネル４、５を水平方向に対向させて当該一対の妻パネル４、５間に天井パネル２および床パネル３を配置する第２パネル配置手順と、支持台１０６のうち、少なくとも一方を前進させて接続状態とし、妻パネル４、５の上下端部に天井パネル２および床パネル３の端部を接合するとともに、組立治具７１に接続用組立治具７２を接合する組立治具接合手順とを備えていることが好ましい。
このように、平面Ｌ字形状に形成された床パネルに接続用組立治具を設ければ、平面矩形状に形成されるので、この四隅近傍を支持することで、当該床パネルを簡単に水平に支持することが可能となる。これにより、妻パネルに床パネルを接合する際の位置決め等を容易に行うことが可能となり、この点からも、平面Ｌ字形状の建物ユニットの生産性を向上させることが可能となる。
【００１１】
また、前述の建物ユニット１は、床パネル３と天井パネル２とを相互に連結する間柱６１、６２を備え、第２パネル配置手順の後、床パネル３上に間柱６１、６２を立設し、当該間柱６１、６２上端に天井パネル２を載置する上下連結手順を備えていることが望ましい。
このようにすれば、天井パネルを間柱で支持した状態で、当該天井パネルの水平方向端部を妻パネルに接合することが可能となるので、天井パネルを吊り下げた状態で行う場合に比べて、天井パネルが左右に動くことがなく、接合作業を簡単に行うことが可能となり、この点からも、平面Ｌ字形状の建物ユニットの生産性を向上させることが可能となる。
【００１２】
【発明の実施の形態】
以下に本発明の実施の形態を図面に基づいて説明する。尚、以下の説明では、既に説明した部材と同じ部材には同一符号を付し、その説明を省略もしくは簡略する。図１および図２には、本発明の一実施形態における建物ユニット１が示されている。
建物ユニット１は、上下に水平に配置される天井パネル２および床パネル３と、これら天井パネル２および床パネル３の両側に垂直に対向配置される一対の妻パネル４、５とを備え、平面Ｌ字形状に形成されている。
【００１３】
詳しくは、天井パネル２は、両側の妻パネル４、５に向かって延びる一対の天井梁１１と、この天井梁１１間に当該天井梁１１の長手方向に沿って配置されるとともに、当該天井梁１１と略同じ長さ寸法を有する第１天井中間梁１２と、一対の天井梁１１のうち、一方の天井梁１１（図中奥側）および第１天井中間梁１２間に架設される第１天井小梁１３と、第１天井中間梁１２および他方の天井梁１１（図中手前側）間に当該第１天井中間梁１２の長手方向に沿って配置される第２天井中間梁１４と、この第２天井中間梁１４および他方の天井梁１１間に架設される第２天井小梁１５とを備え、平面長方形状に形成されている。
【００１４】
床パネル３は、一方の天井梁１１に対応した位置に配置され、当該天井梁１１と同様に両側の妻パネル４、５に向かって延びる床梁２１と、第１天井中間梁１２に対応した位置に配置され、前記床梁２１の長手方向に沿って延びる床中間梁部２２と、床梁２１および床中間梁部２２間に架設される複数の床根太２３と、この床中間梁部２２の一部より床梁２１とは反対側の方向に突出する突出部２４とを備え、平面Ｌ字形状に形成されている。
【００１５】
床中間梁部２２は、前記床梁２１と略同じ長さ寸法となっており、床梁２１に対向して配置される第１床中間梁３１と、この第１床中間梁３１に平行に配置された第２床中間梁３２と、これら第１、２床中間梁３１、３２の一端が接合されるとともに、床パネル３の入隅部分に設けられる角柱状の第１接合部３３と、この第１接合部３３の第１、２床中間梁３１、３２が接合される面とは反対側の面から一方の妻パネル４に向かって延びる第３床中間梁３４とを備えて構成されている。従って、前述の床根太２３は、床梁２１と第１床中間梁３１との間に架設されている。
【００１６】
突出部２４は、第１接合部３３の床梁２１に面する面とは反対側の面から、この面に直交する方向に突出する突出片３６と、この突出片３６の端部が接合されるとともに、床パネル３の出隅部分に設けられる角柱状の第２接合部３７と、この第２接合部３７に接合されるとともに、前述の第３床中間梁３４と平行に配置される短寸床梁３８とを備えて構成されている。
また、第１接合部３３および第２接合部３７上には、それぞれ間柱６１、６２が立設され、その上端部は、天井パネル２の所定の位置に接合されている。
【００１７】
一対の妻パネル４、５のうち、一方（図２中右側）の妻パネル４は、一対の柱４１と、この柱４１の上端間および下端間を相互に連結する短辺天井梁４２および短辺床梁４３と、これら短辺天井梁４２および短辺床梁４３の長手方向中間部分を相互に連結する間柱４４とを備え、標準の高さ寸法および幅寸法を有する標準建物ユニットを構成する妻パネル１０１と略同じ大きさの側面四角形状に形成されている。
これら柱４１、間柱４４の上端部には、これら上端部に対向する天井パネル２の天井梁１１の一端、第１天井中間梁１２の一端が接合される。同様に、柱４１、間柱４４の下端部には、これら下端部に対向する床パネル３の床梁２１の一端、第３床中間梁３４の一端、および短寸床梁３８の一端が接合される。
【００１８】
他方（図２中左側）の妻パネル５は、天井梁１１の他端および床梁２１の他端を相互に連結する柱５１と、第１天井中間梁１２の他端および第１、２床中間梁３１、３２の他端を相互に連結する間柱５２と、柱５１および間柱５２の上端間を相互に連結するとともに、前記短辺天井梁４２を略同じ長さ寸法を有する短辺天井梁５３と、柱５１および間柱５２の下端間を相互に連結するとともに、当該下端間の長さ寸法を有する短辺床梁５４とを備え、側面四角形状に形成されている。
この他方の妻パネル５は、床パネル３の平面形状に応じて形成されており、対向配置される一方の妻パネル４よりも幅寸法が小さくなっている。
【００１９】
このような天井パネル２、床パネル３、一対の妻パネル４、５等を組み合わせることにより、他方の妻パネル５が一方の妻パネル４よりも幅寸法が小さくされ、平面Ｌ字形状に形成された建物ユニット１が製造されている。
【００２０】
このような建物ユニット１を、標準の高さ寸法および幅寸法を有する標準建物ユニットの総組時に使用される生産設備である総組装置１０７を利用して組み立てる場合、図２に示されるように、短辺天井梁５３の一端および間柱５２の下端部を相互に連結する側面Ｌ字形状の組立治具７１を取り付け、当該他方の妻パネル５を一方の妻パネル４と同形状にするようになっている。また、床パネル３の第２接合部３７に、組立治具７１に向かって延びる接続用組立治具７２を設け、当該床パネル３を前記天井パネル２と同形状にするようになっている。
さらに、建物ユニット１を製造した後、建築現場等に輸送する際には、前述の組立治具７１、接続用組立治具７２を取り外し、図３に示されるように、妻パネル４、５および床パネル３の底部に輸送治具７３を取り付けるようになっている。
【００２１】
次に、建物ユニット１の製造および輸送手順を以下に説明する。
(1)まず、図４に示されるように、他方の妻パネル５に、当該他方の妻パネル５を一方の妻パネル４と同形状にする組立治具７１を装着する（組立治具装着工程）。
具体的には、短辺天井梁５３の一端および間柱５２の下端部を相互に連結する側面Ｌ字形状の組立治具７１を他方の妻パネル５に装着し、一方の妻パネル４と同形状の側面四角形状に形成する。ここで、組立治具７１の装着は、ボルト、ナットで行い、簡単に着脱できるようにしておくことが好ましい。
(2)そして、組立治具７１を装着した後、床パネル３に、前述の接続用組立治具７２を装着する（接続用組立治具装着工程）。
具体的には、第２接合部３７の短寸床梁３８が接合されている面とは反対側の面に、接続用組立治具７２の一端をボルト、ナットで接合し、床梁２１の長手方向に沿って、当該床梁２１と平行に配置する。
【００２２】
(3)次に、組立治具装着工程および接続用組立治具装着工程の後、総組装置１０７を利用して建物ユニット１の総組作業を行う（総組工程）。
詳しくは、総組装置１０７の各々の支持台１０６で対向する一対の妻パネル４、５の四隅部分を支持して、当該妻パネル４、５を垂直に配置する（第１パネル配置手順）。
ここで、支持台１０６は、妻パネル４、５の下端角隅部分が載置される載置部１０６Ａと、当該妻パネル４、５の上端角隅部分を支持する支持部１０６Ｂとを備えて構成されている。妻パネル４、５を載置部１０６Ａに載置し、支持部１０６Ｂで支持することにより、当該妻パネル４、５を垂直に配置できるようになっている。なお、他方の妻パネル５は、組立治具７１を装着しない状態では、幅寸法が小さいので、支持台１０６で支持することができないが、組立治具７１を装着して一方の妻パネル４と同形状とすることで、支持可能となっている。
【００２３】
(4)そして、これら一対の妻パネル４、５を水平方向に対向させて当該一対の妻パネル４、５間に前記天井パネル２および床パネル３を配置する（第２パネル配置手順）。
ここで、床パネル３は、接続用組立治具７２が接合されて平面四角形状とされているので、当該床パネル３を配置する際、図示しない支持装置でその４つの角隅部分が支持されるようになっている。
この後、床パネル３の第１接合部３３および第２接合部３７上に間柱６１、６２を立設し、当該間柱６１、６２上端に天井パネル２を載置する（上下連結手順）。
(5)そして、２つの支持台１０６のうち、少なくとも一方を前進させて接続状態とし、妻パネル４、５の上下端部に前記天井パネル２および床パネル３の端部を接合するとともに、組立治具７１に接続用組立治具７２を接合する（組立治具接合手順）。
(6)建物ユニット１の総組作業後、組立治具７１および接続用組立治具７２を、他方の妻パネル５および床パネル３から取り外す（組立治具取り外し工程）。取り外した後、当該建物ユニット１を建築現場に輸送するための輸送治具７３を取り付け、当該建築現場に輸送する（輸送治具取付工程）。
このようにして、建物ユニット１の製造および輸送を行う。
【００２４】
このような本実施形態によれば、次のような効果が得られる。
すなわち、他方の妻パネル５に、組立治具７１を装着することで、当該他方の妻パネル５を、一方の妻パネル４と略同形状にすることができるので、標準建物ユニットの総組時に使用される総組装置１０７を利用することができ、これにより、既存の生産設備の有効利用を図ることができ、平面Ｌ字形状の建物ユニット１の生産性を向上させることができる。
【００２５】
また、総組作業後、組立治具７１を、他方の妻パネル５から取り外すので、当該組立治具７１を再利用することができ、これにより、組立治具７１の製造コストを低減することができる。
【００２６】
さらに、組立治具７１を、他方の妻パネル５から取り外した後、建物ユニット１に輸送治具７３を取り付けたので、建物ユニット１の輸送車への積み込みや、建築現場で積み卸し等をする際に、当該建物ユニット１の底面等を直接設置部分に接触させることがなく、当該底面等を保護することができる。そして、輸送治具７３を取り付けた状態で建築現場に輸送・設置を行えば、建物ユニット１の底面等の保護を行いながらの設置作業を容易に行うことができる。
【００２７】
また、平面Ｌ字形状に形成された床パネル３に接続用組立治具７２を設け、平面矩形状に形成するようにしたので、この四隅近傍を支持することで、当該床パネル３を簡単に水平に支持することができる。これにより、妻パネル４、５に床パネル３を接合する際の位置決め等を容易に行うことができ、この点からも、平面Ｌ字形状の建物ユニット１の生産性を向上させることができる。
【００２８】
さらに、床パネル３上に間柱６１、６２を立設し、当該間柱６１、６２上端に天井パネル２を載置するようにしたので、天井パネル２を間柱６１、６２で支持した状態で、当該天井パネル２の水平方向端部を妻パネル４、５に接合することができ、天井パネル２を吊り下げた状態で行う場合に比べて、天井パネル２が左右に動くことがなく、接合作業を簡単に行うことができ、この点からも、平面Ｌ字形状の建物ユニット１の生産性を向上させることができる。
【００２９】
なお、本発明は前記実施の形態に限定されるものではなく、本発明の目的を達成できる他の構成等を含み、以下に示すような変形等も本発明に含まれる。
例えば、前記実施形態では、床パネル３上に間柱６１、６２を立設し、当該間柱６１、６２上端に天井パネル２を載置するようにしたが、これに限らず、例えば、天井パネル２を吊り下げた状態で接合作業等を行うのであれば、なくてもよい。
【００３０】
また、前記実施形態では、床パネル３に接続用組立治具７２を設けていたが、これに限らず、例えば、床パネル３を簡単に支持できるのであれば、なくてもよい。
【００３１】
さらに、前記実施形態では、輸送時に輸送治具７３を取り付けていたが、これに限らず、例えば、建物ユニット１の底面等を直接設置部分に接触させないように慎重に作業を行うのであれば、なくてもよい。
【００３２】
また、前記実施形態では、組立治具７１を取り外していたが、これに限らず、例えば、建物ユニット１製造後、当該組立治具７１を建物ユニット１の一部として取り扱うのであれば、取り外さなくてもよい。
【００３３】
【発明の効果】
以上に述べたように、本発明の建物ユニットの製造方法によれば、次のような効果がある。
すなわち、請求項１に記載の建物ユニットの製造方法によれば、一方の妻パネルに、組立治具を装着することで、当該一方の妻パネルを、標準建物ユニットの妻パネルと略同形状にすることができるので、標準建物ユニットの総組時に使用される生産設備を利用することができる。これにより、既存の生産設備の有効利用を図ることができ、平面Ｌ字形状の建物ユニットの生産性を向上させることができる。
【００３４】
また、請求項２に記載の建物ユニットの製造方法によれば、組立治具を再利用することができるので、一方の妻パネルの製造個数と同じ数だけ組立治具を製造する場合に比べて、当該組立治具の製造コストを低減することができる。
【００３５】
さらに、請求項３に記載の建物ユニットの製造方法によれば、建物ユニットの輸送車への積み込みや、建築現場で積み卸し等をする際に、当該建物ユニットの底面等を直接設置部分に接触させることがなく、当該底面等を保護することができる。そして、輸送治具を取り付けた状態で建築現場に輸送・設置を行えば、建物ユニットの底面等の保護を行いながらの設置作業を容易に行うことができる。
【００３６】
また、請求項４に記載の建物ユニットの製造方法によれば、平面Ｌ字形状に形成された床パネルに接続用組立治具を設ければ、平面矩形状に形成されるので、この四隅近傍を支持することで、当該床パネルを簡単に水平に支持することができ、これにより、妻パネルに床パネルを接合する際の位置決め等を容易に行うことができ、この点からも、平面Ｌ字形状の建物ユニットの生産性を向上させることができる。
【００３７】
さらに、請求項５に記載の建物ユニットの製造方法によれば、天井パネルを間柱で支持した状態で、当該天井パネルの水平方向端部を妻パネルに接合することができるので、天井パネルを吊り下げた状態で行う場合に比べて、天井パネルが左右に動くことがなく、接合作業を簡単に行うことができ、この点からも、平面Ｌ字形状の建物ユニットの生産性を向上させることができる。
【図面の簡単な説明】
【図１】本発明の一実施形態における建物ユニットを示す斜視図である。
【図２】前記実施形態における建物ユニットを示す分解斜視図である。
【図３】前記実施形態における建物ユニットを示す斜視図である。
【図４】前記実施形態における建物ユニットの製造方法を示す概略図である。
【図５】従来例であって、標準建物ユニットの製造方法を示す概略斜視図である。
【符号の説明】
１  建物ユニット
２  天井パネル
３  床パネル
４、５  妻パネル
６１、６２  間柱
７１  組立治具
７２  接続用組立治具
７３  輸送治具
１０６  支持台
１０７  生産設備である総組装置
【図１】
0004391002.tif 000002
【図２】
0004391002.tif 000003
【図３】
0004391002.tif 000004
【図４】
0004391002.tif 000005
【図５】
0004391002.tif 000006